(57)【要約】【課題】  電源電圧降下による影響を低減し、制動の応答性を良好に維持することができる電動式ブレーキを提供することを目的とする。【解決手段】  車輪と一体的に回転する被制動部材に対してクリアランスを有するように配設された制動部材と、制動部材を被制動部材に当接するまで移動させた後に押圧する力を発生するアクチュエータと、ブレーキ操作に基づいてアクチュエータの発生する力を制御する制御手段とを有する電動式ブレーキであって、制御手段は、アクチュエータに供給される電源電圧を取得する電源電圧取得手段と、電源電圧に応じて、制動部材と被制動部材とのクリアランスを調整するクリアランス調整手段とを有することにより上記課題を解決する。【選択図】  図３
2005271868.tif 000002
【特許請求の範囲】
【請求項１】
車輪と一体的に回転する被制動部材に対してクリアランスを有するように配設された制動部材と、
前記制動部材を前記被制動部材に当接するまで移動させた後に押圧する力を発生するアクチュエータと、
ブレーキ操作に基づいて前記アクチュエータの発生する力を制御する制御手段とを有する電動式ブレーキであって、
前記制御手段は、前記アクチュエータに供給される電源電圧を取得する電源電圧取得手段と、
前記電源電圧に応じて、前記制動部材と前記被制動部材とのクリアランスを調整するクリアランス調整手段と
を有する電動式ブレーキ。
【請求項２】
前記クリアランス調整手段は、前記電源電圧が基準値未満であるときの前記制動部材と前記被制動部材とのクリアランスが、前記電源電圧が基準値以上であるときの前記クリアランスより小さくなるように調整することを特徴とする請求項１記載の電動式ブレーキ。
【請求項３】
前記クリアランス調整手段は、所定の電源電圧−クリアランス特性に応じて前記クリアランスを調整することを特徴とする請求項２記載の電動式ブレーキ。
【請求項４】
前記クリアランス調整手段は、前記電源電圧が基準値未満であるときと前記電源電圧が基準値以上であるときとで、前記ブレーキ操作を行ってから前記制動部材が前記被制動部材に当接するまでの時間を同程度とするように前記クリアランスを調整することを特徴とする請求項１記載の電動式ブレーキ。
【発明の詳細な説明】
【技術分野】
【０００１】
本発明は、電動式ブレーキに係り、特に車両用の電動式ブレーキに関する。
【背景技術】
【０００２】
従来の電動式ブレーキは、車輪と一体的に回転する被制動部材に対して間隔（以下、クリアランスという）を有するように配設された制動部材と、制動部材を被制動部材に当接するまで移動させた後に押圧する力を発生するアクチュエータと、ブレーキ操作に基づいてアクチュエータの発生する力を制御する制御手段とを有するように構成されている。
【０００３】
例えば特許文献１には、モータの回転運動を直線運動に変換し、この直線運動により制動部材としてのブレーキシューを被制動部材としてのドラムに押圧させて制動力を発生させる電動式ブレーキの一例が記載されている。
【特許文献１】特開平１１−９９９３４号公報
【発明の開示】
【発明が解決しようとする課題】
【０００４】
従来の電動式ブレーキでは、アクチュエータとしてのモータが所定の電源電圧により駆動され、そのモータの回転運動が直線運動に変換され、その直線運動により制動部材としてのブレーキシューが被制動部材としてのドラムに押圧されて制動力が発生する。したがって、ブレーキシューはモータの回転運動に応じた速度でクリアランスを移動することになる。なお、モータの回転運動はモータに供給される電源電圧に応じて変化する。
【０００５】
ところで、自動車等の車両においては、ランプの点灯，エアコンディショナーの利用等の様々な要因により電源電圧が降下する。このような電源電圧降下は、モータの回転運動を低下させる。この結果、電源電圧降下はブレーキシューがクリアランスを移動する速度を低下させ、ブレーキシューがドラムに押圧されて制動力を発生させるまでの時間を長くする。このように、従来の電動式ブレーキでは電源電圧降下により制動の応答性が低下してしまい、事故につながる危険性があるという問題があった。
【０００６】
本発明は、上記の点に鑑みなされたもので、電源電圧降下による影響を低減し、制動の応答性を良好に維持することができる電動式ブレーキを提供することを目的とする。
【課題を解決するための手段】
【０００７】
そこで、上記課題を解決する為、本発明は、車輪と一体的に回転する被制動部材に対してクリアランスを有するように配設された制動部材と、前記制動部材を前記被制動部材に当接するまで移動させた後に押圧する力を発生するアクチュエータと、ブレーキ操作に基づいて前記アクチュエータの発生する力を制御する制御手段とを有する電動式ブレーキであって、前記制御手段は、前記アクチュエータに供給される電源電圧を取得する電源電圧取得手段と、前記電源電圧に応じて、前記制動部材と前記被制動部材とのクリアランスを調整するクリアランス調整手段とを有することを特徴とする。
【０００８】
本発明では、アクチュエータに供給される電源電圧を電源電圧取得手段が取得し、その電源電圧に応じてクリアランス調整手段が制動部材と被制動部材とのクリアランスを調整する。制動部材と被制動部材とのクリアランスは、制動部材の移動速度の変動による影響を低減するように調整される。
【０００９】
例えば電源電圧降下が生じると、制動部材がクリアランスを移動する速度は電源電圧降下に応じて低下する。したがって、制動部材が被制動部材に押圧されて制動力を発生させるまでの時間は、制動部材の移動速度の低下により長くなる。そこで、本発明では電源電圧降下が生じたとき、制動部材と被制動部材とのクリアランスを小さくするように調整することで、制動部材の移動距離であるクリアランスを小さくし、制動部材が被制動部材に押圧されて制動力を発生させるまでの時間が長くなることを防いでいる。
【００１０】
前記クリアランス調整手段は、前記電源電圧が基準値未満であるときの前記制動部材と前記被制動部材とのクリアランスが、前記電源電圧が基準値以上であるときの前記クリアランスより小さくなるように調整してもよい。
【００１１】
本発明では、電源電圧が基準値未満であるときに、電源電圧降下が発生していると判定して、電源電圧が基準値未満であるときの制動部材と被制動部材とのクリアランスが、電源電圧が基準値以上であるときのクリアランスより小さくなるように調整できる。
【００１２】
前記クリアランス調整手段は、所定の電源電圧−クリアランス特性に応じて前記クリアランスを調整してもよい。
【００１３】
本発明では、電源電圧が基準値未満であるときに、所定の電源電圧−クリアランス特性に応じてクリアランスを調整できる。
【００１４】
前記クリアランス調整手段は、前記電源電圧が基準値未満であるときと前記電源電圧が基準値以上であるときとで、前記ブレーキ操作を行ってから前記制動部材が前記被制動部材に当接するまでの時間を同程度とするように前記クリアランスを調整してもよい。
【００１５】
本発明では、電源電圧が基準値未満であるときと電源電圧が基準値以上であるときとで制動が発生するまでの時間が同程度となるように、クリアランスを調整できる。
【発明の効果】
【００１６】
本発明によれば、電源電圧降下による影響を低減し、制動の応答性を良好に維持することが可能な電動式ブレーキを提供できる。
【発明を実施するための最良の形態】
【００１７】
次に、本発明を実施するための最良の形態を、以下の実施例に基づき図面を参照しつつ説明していく。なお、本実施例では電動式ブレーキの一例として電動式ドラムブレーキを例に説明しているが、アクチュエータの駆動により制動部材が被制動部材に押圧されて制動力が発生する如何なる電動式ブレーキであってもよい。
【００１８】
図１は、本発明による電動式ドラムブレーキを含む電動式ブレーキシステムの一例の構成図である。この電動式ブレーキシステムは、電動式ディスクブレーキ１０と，電動式ドラムブレーキ２０と，電気制御装置３０と，駆動回路４０と，バッテリ５０と，ブレーキペダル６０とを有するように構成されている。
【００１９】
電動式ディスクブレーキ１０は、左前輪（ＦＬ）および右前輪（ＦＲ）に設けられている。電動式ディスクブレーキ１０は、車輪と一体的に回転する被制動部材であるディスクロータ（図示省略）と，車体側部材であるマウンティングブラケットに回転不能に保持されると共に、ディスクロータに対して所定のクリアランスを有するように配設された制動部材としてのブレーキパッド（図示省略）と，供給される電源電圧に応じた力を発生するアクチュエータとしてのモータ１１と，ブレーキパッドの位置Ｘを検出する位置センサ１２と，加圧力センサ１３とを含んでいる。
【００２０】
電動式ディスクブレーキ１０は、モータ１１の発生する力によりブレーキパッドをディスクロータに向けて当接するまで移動させ、さらにブレーキパッドをディスクロータに押圧することで、左右前輪（ＦＬ，ＦＲ）の回転を抑制する制動力を発生する。位置センサ１２は、モータ１１により駆動されるブレーキパッドの位置Ｘを検出する。また、加圧力センサ１３は歪センサから成り、ブレーキパッドがディスクロータに押圧される際の力と同一の力で押圧される部材に取り付けられている。加圧力センサ１３は、歪センサが検出した歪量から加圧力Ｐを検出する。
【００２１】
電動式ドラムブレーキ２０は、左後輪（ＲＬ）及び右後輪（ＲＲ）に設けられる。電動式ドラムブレーキ２０は、車輪と一体的に回転する被制動部材であるドラム２１と，車体側部材であるバッキングプレートに回転不能に保持されると共に、ドラム２１に対して所定のクリアランスを有するように配設された制動部材としてのブレーキシュー２２と，供給される電源電圧に応じた力を発生するアクチュエータとしてのモータ２３と，ブレーキシューの位置Ｘを検出する位置センサ２４と，加圧力センサ２５とを含んでいる。
【００２２】
電動式ドラムブレーキ２０は、モータ２３の発生する力によりブレーキシュー２２をドラム２１の内周面に向けて当接するまで移動させ、さらにブレーキシュー２２をドラム２１の内周面に押圧することで、左右後輪（ＲＬ，ＲＲ）の回転を抑制する制動力を発生している。
【００２３】
図２は、電動式ドラムブレーキの一例の断面図である。図２では、デュオサーボ型の電動式ドラムブレーキの例を示している。電動式ドラムブレーキは、バッキングプレート２００と、一対のブレーキシュー２０２ａ，２０２ｂと、ドラム２０６と、アクチュエータ２０７とを含んでいる。
【００２４】
バッキングプレート２００は円板状を成し、図示しない車体側部材に回転不能に取り付けられている。ブレーキシュー２０２ａ，２０２ｂは、パッキングプレート２００に設けられ、概して円弧状を成している。ドラム２０６は、内周面２０４に摩擦面を備え、車輪と共に回転する。アクチュエータ２０７は、一対のブレーキシュー２０２ａ，２０２ｂの一端部同士を拡開させる。
【００２５】
一対のブレーキシュー２０２ａ，２０２ｂは、夫々互いに対向する一端部において、バッキングプレート２００に固定されたアンカピン２０８に係合されることにより、ドラム２０６と共に回転することを防止された状態で回動可能に保持されている。また、一対のブレーキシュー２０２ａ，２０２ｂは、他端部同士がストラット２１０により連結されており、ストラット２１０によって一方のブレーキシューに作用する力が他方のブレーキシューに伝達されるようになっている。なお、一対のブレーキシュー２０２ａ，２０２ｂはシューホールドダウン装置２１２ａ，２１２ｂにより、バッキングプレート２００の面に沿って移動可能とされている。
【００２６】
一対のブレーキシュー２０２ａ，２０２ｂの他端部同士は、図２に示すようにスプリング２１４により互いに接近する向きに付勢されている。また、一対のブレーキシュー２０２ａ，２０２ｂの一端部は、各シューリターンスプリング２１５ａ，２１５ｂによりアンカピン２０８に向かって付勢されている。一端部には、リターンスプリング２１８も設けられている。
【００２７】
各ブレーキシュー２０２ａ，２０２ｂの外周面には、それぞれブレーキライニング２１９ａ，２１９ｂが保持されており、それら一対のブレーキライニング２１９ａ，２１９ｂがドラム２０６の内周面２０４に摩擦係合されることにより、ブレーキライニング２１９ａ，２１９ｂとドラム２０６との間に摩擦力が発生する。図２の電動式ドラムブレーキはストラット２１０がアジャスト機構を備え、ブレーキライニング２１９ａ，２１９ｂの摩耗に応じてブレーキライニング２１９ａ，２１９ｂとドラム２０６の内周面２０４とのクリアランスを調整するようになっている。
【００２８】
各ブレーキシュー２０２ａ，２０２ｂは、それぞれリム２２４ａ，２２４ｂとウェブ２２２ａ，２２２ｂとを含み、レバー２３０ａ，２３０ｂの一端部がピン２３２ａ，２３２ｂを介して回動可能に設けられている。レバー２３０ａ，２３０ｂとウェブ２２２ａ，２２２ｂとの互いに対向する部分には、それぞれ切欠が設けられている。ストラット２１６は、これらの切欠に係合している。
【００２９】
レバー２３０ａの他端部には、モータ２３を含むアクチュエータ２０７が連結されている。ブレーキペダル６０が操作されると、モータ２３（アクチュエータ２０７）の駆動によってレバー２３０ａは回動される。ストラット２１６により一対のブレーキシュー２０２ａ，２０２ｂは拡開され、ブレーキライニング２１９ａ，２１９ｂがドラム２０６の内周面２０４に押圧される。即ち、ブレーキライニング２１９ａ，２１９ｂがドラム２０６の内周面２０４に摩擦係合されることにより、ブレーキライニング２１９ａ，２１９ｂとドラム２０６との間に摩擦力が発生する。したがって、車輪の回転は抑制され、車輪に制動トルクＴが付与される。
【００３０】
なお、図２の電動式ドラムブレーキは、一方のブレーキシュー２０２ｂにおいて生じた摩擦力に基づく連れ周り力と、アクチュエータ２０７によるブレーキ作動力Ｄとが、他端部からストラット２１０を介して他方のブレーキシュー２０２ａの他端部に伝達されるようになっている。ブレーキ作動力Ｄとは、一対のブレーキシュー２０２ａ，２０２ｂを拡開させる拡開力であると考えることができる。
【００３１】
この結果、他方のブレーキシュー２０２ａは連れ周り力と拡開力との和によりドラム２０６の内周面２０４に押圧され、一方のブレーキシュー２０２ｂより大きな摩擦力が発生する。このように、一方のブレーキシュー２０２ｂの出力が他方のブレーキシュー２０２ａの入力となるため、デュオサーボ型の電動式ドラムブレーキは大きな制動トルクＴを得ることができる。
【００３２】
アンカピン２０８には、加圧力センサ２５としてアンカピン２０８に加わる荷重を検出する歪センサ３１２が取り付けられている。他方のブレーキシュー２０２ａにストラット２１０を介して伝達された力は、他方のブレーキシュー２０２ａのサーボ効果により更に増大されてアンカピン２０８に作用する。その結果、アンカピン２０８に加わる荷重に基づいて制動トルクを求めれば、デュオサーボ型の電動式ドラムブレーキにおいて生じる制動トルクＴを検出できる。この制動トルクＴは、車輪が回転している限り制動部材であるブレーキシュー２０２ａ，２０２ｂが、被制動部材であるドラム２０６に実際に押圧される力（加圧力Ｐ）と等価である。
【００３３】
アクチュエータ２０７は、モータ２３の他に減速機，ボールねじ機構を含む。モータ２３の出力軸の回転は減速機によって減速され、出力軸の回転運動がボールねじ機構によって直線運動に変換され、この直線運動がボールねじ機構の出力部材に連結されたレバー２３０ａに伝達される。
【００３４】
また、位置センサ２４はモータ２３内に設けられており、モータ２３の出力軸の回転を検出することでブレーキシュー２０２ａ，２０２ｂの位置Ｘを検出する。なお、ブレーキシュー２０２ａ，２０２ｂの位置Ｘは、バッキングプレート２００等に固定されたギャップセンサ等により直接検知する構成としてもよい。なお、モータ１１，２３はＤＣモータや超音波モータ等を利用できる。
【００３５】
図１に戻り、電気制御装置３０は図示しないメモリ及びＣＰＵ等を有するマイクロコンピュータ３１を含む。電気制御装置３０は、メモリ内に格納されているプログラムを実行する。電気制御装置３０は、位置センサ１２，２４と、加圧力センサ１３，２５と、車両の速度（以下、車速という）ＳＰＤを検出する車速センサ５１と、パーキングブレーキ操作スイッチ５２と、踏力センサ５３と、ストロークセンサ５４と、モータ電流センサ５５と、車輪速センサ５６と、バッテリ５０とが接続されており、各種信号が入力される。
【００３６】
車速センサ５１は、図示しない変速機の出力軸の回転を検出することで、車速ＳＰＤを検出する。パーキングブレーキ操作スイッチ５２は、運転者により操作されてパーキングブレーキ指示信号ＰＫＢを発生し、パーキングブレーキの作動を制御する。踏力センサ５３は、運転者によるブレーキペダル６０のペダル踏力Ｆを検出する。ストロークセンサ５４は、ブレーキペダル６０の操作ストロークＳＴを検出する。車輪速センサ５６は、４つの車輪（ＦＬ，ＦＲ，ＲＬ，ＲＲ）にそれぞれ設けられており、各車輪の車輪速Ｖｗを検出する。
【００３７】
モータ電流センサ５５は、電動式ディスクブレーキ１０のモータ１１及び電動式ドラムブレーキ２０のモータ２３のコイルに接続されており、電源としてのバッテリ５０から駆動回路４０を介してモータ１１，２３に供給された供給電流値Ｉを検出し、その供給電流値Ｉを規定する信号を電気制御装置３０に出力する。その出力信号は、供給電流値Ｉを電圧の高さとして表したものである。
【００３８】
また、電気制御装置３０の出力側には駆動回路４０が接続されている。ブレーキペダル６０の操作時には、電気制御装置３０から駆動回路４０に指令が供給され、その指令に応じて駆動回路４０がバッテリ５０からの電流を電動式ディスクブレーキ１０のモータ１１及び電動式ドラムブレーキ２０のモータ２３に供給する。
【００３９】
電気制御装置３０は、バッテリ５０の電源電圧を監視している。なお、バッテリ５０の電源電圧の監視を行う電源電圧センサを別途設けてもよい。この場合、電気制御装置３０は電源電圧センサから電源電圧の監視結果を取得する。電気制御装置３０は、バッテリ５０の電源電圧の監視結果に応じて、後述するように、被制動部材であるドラム２１と制動部材であるブレーキシュー２２とのクリアランスを調整する為の処理を行う。
【００４０】
マイクロコンピュータ３１のメモリには、クリアランスを調整する為の処理を行うプログラムが格納されている。マイクロコンピュータ３１は、メモリからクリアランスを調整する為の処理を行うプログラムを読み出して、図３のフローチャートで表される処理を実行する。
【００４１】
図３は、クリアランスを調整する為の処理の一例のフローチャートである。ステップＳ１では、マイクロコンピュータ３１が、バッテリ５０の電源電圧を取得する。なお、バッテリ５０の電源電圧は、通常、ランプの点灯，エアコンディショナーの利用等の様々な要因により変動している。そこで、マイクロコンピュータ３１は取得した電源電圧の平均値を利用してもよいし、変動の少ない時間帯の電源電圧を選択して利用してもよい。電源電圧の変動が少ない時間帯とは、例えばランプの点灯やエアコンディショナーの利用等が無く、電源電圧があまり利用されていない時間帯をいう。電気制御装置３０は、ランプの点灯やエアコンディショナーの利用等を検知できるため、電源電圧があまり利用されていない時間帯を選択可能である。
【００４２】
ステップＳ２に進み、マイクロコンピュータ３１は電源電圧が所定の基準電圧（例えば１２Ｖ）より降下しているか否かを判定する。電源電圧が基準電圧より降下していると判定すると（Ｓ２においてＹＥＳ）、マイクロコンピュータ３１はステップＳ３に進み、後述するクリアランス調整処理を行う。一方、電源電圧が基準電圧より降下していないと判定すると（Ｓ２においてＮＯ）、マイクロコンピュータ３１はステップＳ１に戻る。
【００４３】
ステップＳ３のクリアランス調整処理では、例えば図４のフローチャートで表される処理を実行する。図４は、クリアランス調整処理の一例のフローチャートである。ステップＳ１１に進み、マイクロコンピュータ３１は駆動回路４０に指令を行い、モータ２３の発生する力によりブレーキシュー２２をドラム２１の内周面に向けて移動させることで、クリアランスを所定値だけ小さくする。
【００４４】
ステップＳ１２に進み、マイクロコンピュータ３１は位置センサ２４，加圧力センサ２５，車速センサ５１，図示しない車体減速度センサ（Ｇセンサ）等から入力される各種信号に基づき、左右後輪（ＲＬ，ＲＲ）の回転を抑制する制動力が発生しているか否かを判定する。
【００４５】
制動力が発生していなければ（Ｓ１２においてＮＯ）、マイクロコンピュータ３１はステップＳ１１に戻り、クリアランスを更に所定値だけ小さくする。一方、制動力が発生していれば（Ｓ１２においてＹＥＳ）、マイクロコンピュータ３１はモータ２３の発生する力によりブレーキシュー２２をドラム２１の内周面の反対に向けて移動させることで、クリアランスを制動力が発生しない程度に大きくして処理を終了する。
【００４６】
図４のクリアランス調整処理は、電源電圧が所定の基準電圧より降下している電源電圧降下状態であるときに、ブレーキシュー２２の移動速度が低下するという問題に対処するものである。ブレーキシュー２２がドラム２１の内周面に押圧されて制動力の発生するまでの時間は、ブレーキシュー２２の移動速度の低下により長くなる。つまり、制動の応答性は悪くなり、事故に繋がる可能性もある。
【００４７】
そこで、図４のクリアランス調整処理では電源電圧降下状態であるとき、制動力を発生させない程度にブレーキシュー２２とドラム２１とのクリアランスを小さくしている。このように、ブレーキシュー２２とドラム２１とのクリアランスを小さくすれば、ブレーキシュー２２の移動距離は小さくなる。この結果、電源電圧降下状態であっても制動力の発生するまでの時間は長くならず、制動の応答性を良好に維持できる。
【００４８】
ステップＳ３のクリアランス調整処理では、図５のフローチャートで表される処理を実行してもよい。図５は、クリアランス調整処理の他の一例のフローチャートである。ステップＳ２１に進み、マイクロコンピュータ３１はステップＳ１で取得した電源電圧と、メモリ内に格納されている図６のような電源電圧−クリアランス特性とに応じて、クリアランスを決定する。
【００４９】
図６は、電源電圧−クリアランス特性を表す一例の図である。図６の電源電圧−クリアランス特性は電源電圧とクリアランスとの関係を規定する。図６の電源電圧−クリアランス特性は例えばモータ２３の電源電圧−出力特性に基づき、制動力の発生するまでの時間が同程度となるようにクリアランスが調整されている。
【００５０】
また、マイクロコンピュータ３１はステップＳ１で取得した電源電圧と、メモリ内に格納されている図７のような電源電圧−クリアランス特性とに応じて、クリアランスを段階的に決定してもよい。
【００５１】
図７は、電源電圧−クリアランス特性を表す他の一例の図である。図７の電源電圧−クリアランス特性は電源電圧とクリアランスとの関係を規定する。図７の電源電圧−クリアランス特性は、例えばモータ２３の電源電圧−出力特性に基づき、制動力の発生するまでの時間が同程度となるようにクリアランスが段階的に調整されている。
【００５２】
図５に戻り、ステップＳ２２では、マイクロコンピュータ３１が、駆動回路４０に指令を行い、モータ２３の発生する力によりブレーキシュー２２を移動させることで、ステップＳ２１で決定したクリアランスに調整して処理を終了する。
【００５３】
図５のクリアランス調整処理は、電源電圧が所定の基準電圧より降下している電源電圧降下状態であるときに、ブレーキシュー２２の移動速度が低下するという問題に対処するものである。ブレーキシュー２２がドラム２１の内周面に押圧されて制動力の発生するまでの時間は、ブレーキシュー２２の移動速度の低下により長くなる。つまり、制動の応答性は悪くなり、事故に繋がる可能性もある。
【００５４】
そこで、図５のクリアランス調整処理では電源電圧降下状態であるとき、制動力の発生するまでの時間が電源電圧降下状態でないときと同程度となるように、ブレーキシュー２２とドラム２１とのクリアランスを調整している。このように、電源電圧降下状態であるときと電源電圧降下状態でないときとで、制動力の発生するまでの時間が同程度になるようにクリアランスを調整できれば、制動力の発生するまでの時間は長くならず、制動の応答性を良好に維持できる。
【００５５】
以上、本発明の好ましい実施例について詳説したが、本発明は、上記した実施例に制限されることはなく、本発明の範囲を逸脱することなく、上記した実施例に種々の変形及び置換を加えることができる。
【００５６】
例えば、上記の実施例において、図６，図７の電源電圧−クリアランス特性はモータ２３の電源電圧−出力特性に基づくものであるが、モータ２３の電源電圧−出力特性に基づかなくてもよい。例えば電源電圧降下状態であるときに、電源電圧降下状態でないときのクリアランスより短い所定のクリアランスとなるような電源電圧ークリアランス特性であってもよい。また、電源電圧降下状態であるときに、基準電圧と電源電圧との比率に応じてクリアランスを調整するようにしてもよい。
【００５７】
なお、特許請求の範囲に記載した電源電圧取得手段はマイクロコンピュータ３１がプログラムを実行することで実現されるステップＳ１の処理に対応し、クリアランス調整手段はマイクロコンピュータ３１がプログラムを実行することで実現されるステップＳ２，Ｓ３の処理に対応する。
【図面の簡単な説明】
【００５８】
【図１】本発明による電動式ドラムブレーキを含む電動式ブレーキシステムの一例の構成図である。
【図２】電動式ドラムブレーキの一例の断面図である。
【図３】クリアランスを調整する為の処理の一例のフローチャートである。
【図４】クリアランス調整処理の一例のフローチャートである。
【図５】クリアランス調整処理の他の一例のフローチャートである。
【図６】電源電圧−クリアランス特性を表す一例の図である。
【図７】電源電圧−クリアランス特性を表す他の一例の図である。
【符号の説明】
【００５９】
１０    電動式ディスクブレーキ
１１，２３    モータ
１２，２４    位置センサ
１３，２５    加圧力センサ
２０    電動式ドラムブレーキ
２１    ドラム
２２    ブレーキシュー
３０    電気制御装置
３１    マイクロコンピュータ
４０    駆動回路
５０    バッテリ
５１    車速センサ
５２    パーキングブレーキ操作スイッチ
５３    踏力センサ
５４    ストロークセンサ
５５    モータ電流センサ
５６    車輪速センサ
６０    ブレーキペダル
【図１】
2005271868.tif 000003
【図２】
2005271868.tif 000004
【図３】
2005271868.tif 000005
【図４】
2005271868.tif 000006
【図５】
2005271868.tif 000007
【図６】
2005271868.tif 000008
【図７】
2005271868.tif 000009